(57)【要約】【課題】分割されたフィルタ同士の隙間を抑制できるフィルタユニットを提供すること。【解決手段】フィルタユニットは、第１フィルタと、第２フィルタとを備える。第１フィルタは、蛇腹形状を有する。第２フィルタは、前記第１フィルタの上方に位置する。前記第１フィルタが有する蛇腹形状を構成する折目は、上下方向に延びる。前記第２フィルタは、例えば、蛇腹形状を有する。前記第２フィルタが有する蛇腹形状を構成する折目は、例えば、上下方向、又は水平方向に延びる。【選択図】図２
2019166868.tif 000002
【特許請求の範囲】
【請求項１】
蛇腹形状を有する第１フィルタと、
前記第１フィルタの上方に位置する第２フィルタと、
を備え、
前記第１フィルタが有する蛇腹形状を構成する折目は、上下方向に延びるフィルタユニット。
【請求項２】
請求項１に記載のフィルタユニットであって、
前記第２フィルタは蛇腹形状を有し、
前記第２フィルタが有する蛇腹形状を構成する折目は、上下方向に延びるフィルタユニット。
【請求項３】
請求項１に記載のフィルタユニットであって、
前記第２フィルタは蛇腹形状を有し、
前記第２フィルタが有する蛇腹形状を構成する折目は、水平方向に延びるフィルタユニット。
【請求項４】
請求項１〜３のいずれか１項に記載のフィルタユニットであって、
前記第１フィルタは、布から成る端板を上端及び下端に備えるフィルタユニット。
【発明の詳細な説明】
【技術分野】
【０００１】
本開示はフィルタユニットに関する。
【背景技術】
【０００２】
特許文献１には、車両の車室内を空調するエアコンが開示されている。エアコンは、ケースと、ケースの内部に取り付けられるフィルタとを備える。ケースはフィルタ挿入口を備える。フィルタ挿入口を通して、フィルタをケースの内部に挿入することができる。
【先行技術文献】
【特許文献】
【０００３】
【特許文献１】特開２００４−１８９０５９号公報
【発明の概要】
【発明が解決しようとする課題】
【０００４】
フィルタをケースの内部へ挿入することを容易にするために、フィルタを上下２つに分割することが考えられる。その場合、下側のフィルタが自重によって下方に垂れてしまうおそれがある。下側のフィルタが自重によって下方に垂れてしまうと、下側のフィルタと上側のフィルタとの間に隙間が生じてしまう。本開示は、分割されたフィルタ同士の隙間を抑制できるフィルタユニットを提供する。
【課題を解決するための手段】
【０００５】
本開示の一局面は、蛇腹形状を有する第１フィルタと、前記第１フィルタの上方に位置する第２フィルタと、を備え、前記第１フィルタが有する蛇腹形状を構成する折目は、上下方向に延びるフィルタユニットである。
【０００６】
第１フィルタが有する蛇腹形状を構成する折目は、上下方向に延びる。そのため、第１フィルタは上下方向に変形し難い。そのことにより、第１フィルタが自重によって下方に垂れてしまうことを抑制できる。その結果、第１フィルタと第２フィルタとの間に隙間が生じることを抑制できる。
【０００７】
ここで、「上下方向」とは、厳密な意味での上下方向に限るものではなく、上記と同様の効果を奏するのであれば厳密に上下方向でなくてもよい。
【図面の簡単な説明】
【０００８】
【図１】エアコンユニット１の構成を表す側面図である。
【図２】図１におけるＣ視方向から見たエアコンユニット１の構成を表す説明図である。
【図３】第１フィルタ１９の構成を表す分解斜視図である。
【図４】第２フィルタ２１をケース３の内部に挿入する方法を表す説明図である。
【図５】第２実施形態におけるエアコンユニット１の構成を表す説明図である。
【発明を実施するための形態】
【０００９】
本開示の例示的な実施形態を、図面を参照しながら説明する。
＜第１実施形態＞
１．エアコンユニット１の構成
エアコンユニット１の構成を、図１〜図３に基づき説明する。図１に示すように、エアコンユニット１は、ケース３と、フィルタユニット５と、ブロア７と、を備える。ケース３は、入口９及び出口１１を備える角筒状の部材である。ブロア７によって生じる風は、入口９からケース３に入り、方向Ｆに沿って流れ、フィルタユニット５を通過し、出口１１から排出される。
【００１０】
ケース３は、一対の下側ガイド部１３を備える。一対の下側ガイド部１３は、ケース３の底部３Ａにおける内側面に設けられている。一対の下側ガイド部１３は、それぞれ、ケース３の天井部３Ｂに向けて突出している板状部材である。一対の下側ガイド部１３同士の間には、後述する第１フィルタ１９の厚みに応じた隙間が存在する。
【００１１】
ケース３は、一対の上側ガイド部１５を備える。一対の上側ガイド部１５は、ケース３の天井部３Ｂにおける内側面に設けられている。一対の上側ガイド部１５は、それぞれ、底部３Ａに向けて突出している板状部材である。一対の上側ガイド部１５同士の間には、後述する第２フィルタ２１の厚みに応じた隙間が存在する。
【００１２】
図１及び図２に示すように、ケース３は、フィルタ挿入口１７を備える。フィルタ挿入口１７は、ケース３の一方の側面３Ｃに設けられた開口部である。フィルタ挿入口１７はケース３の内部と外部とを連通する。フィルタ挿入口１７は縦に細長く延びた形状を有する。
【００１３】
フィルタユニット５は、ケース３の内部に取り付けられる。フィルタユニット５は、第１フィルタ１９と、第２フィルタ２１とを備える。第１フィルタ１９と第２フィルタ２１とは別体であって分離可能である。
【００１４】
図３に示すように、第１フィルタ１９は、濾材部２３と、一対の端板２５、２７とを備える。濾材部２３は蛇腹形状を有する。蛇腹形状とは、山折りの折目と谷折りの折目とを交互に繰り返した形状である。以下では、山折りの折目と、谷折りの折目とをあわせて、折目２９とする。濾材部２３の形状は、正面視においては長方形である。
【００１５】
端板２５、２７は長方形の板状部材である。一対の端板２５、２７は、濾材部２３における両方の端部２３Ａに接着されている。端部２３Ａは、折目２９が延びる方向における端部である。濾材部２３及び端板２５、２７の材質は不織布である。不織布は布に対応する。
【００１６】
図２に示すように、第１フィルタ１９をケース３に取り付けたとき、折目２９は上下方向に延びる。また、端板２５は第１フィルタ１９の上端となる。また、端板２７は第１フィルタ１９の下端となる。
【００１７】
図１に示すように、第１フィルタ１９は、一対の下側ガイド部１３により固定される。一対の下側ガイド部１３は、第１フィルタ１９の下端付近を挟み込む。
図１及び図２に示すように、第２フィルタ２１は、第１フィルタ１９の上方に位置する。第２フィルタ２１の下端２１Ａは、端板２５に接している。
【００１８】
第２フィルタ２１は、基本的には、第１フィルタ１９と同様の形態を有する。ただし、図２に示すように、第２フィルタ２１は、折目２９が水平方向に延びる向きでケース３に取り付けられる。図１に示すように、第２フィルタ２１は、一対の上側ガイド部１５により固定される。一対の上側ガイド部１５は、第２フィルタ２１の上端付近を挟み込む。
【００１９】
ブロア７はケース３の内部に取り付けられている。ブロア７は、方向Ｆに沿う風を生じさせる。
２．フィルタユニット５が奏する効果
（１Ａ）第１フィルタ１９が有する蛇腹形状を構成する折目２９は、上下方向に延びる。そのため、第１フィルタ１９は上下方向に変形し難い。そのことにより、第１フィルタ１９が自重によって下方に垂れてしまうことを抑制できる。その結果、端板２５と下端２１Ａとの間に隙間が生じることを抑制できる。
【００２０】
（１Ｂ）第２フィルタ２１が有する蛇腹形状を構成する折目２９は、水平方向に延びる。そのため、図４に示すように、第２フィルタ２１は、上下方向に圧縮することが容易である。第２フィルタ２１を上下方向に圧縮すれば、第２フィルタ２１を、フィルタ挿入口１７を通して、ケース３の内部に容易に挿入することができる。
【００２１】
（１Ｃ）第１フィルタ１９は、不織布から成る端板２５、２７を上端及び下端に備える。そのため、硬質材料から成る端板を備える場合に比べて、第１フィルタ１９における端板２５、２７付近を、ユーザは容易に変形させることができる。そのことにより、第１フィルタ１９を、フィルタ挿入口１７を通して、ケース３の内部に容易に挿入することができる。
＜第２実施形態＞
１．第１実施形態との相違点
第２実施形態は、基本的な構成は第１実施形態と同様であるため、相違点について以下に説明する。なお、第１実施形態と同じ符号は、同一の構成を示すものであって、先行する説明を参照する。
【００２２】
前述した第１実施形態では、第２フィルタ２１が有する蛇腹形状を構成する折目２９は、水平方向に延びる。これに対し、第２実施形態では、図５に示すように、第２フィルタ２１が有する蛇腹形状を構成する折目２９は、上下方向に延びる点で、第１実施形態と相違する。
【００２３】
２．フィルタユニット５が奏する効果
以上詳述した第２実施形態によれば、前述した第１実施形態の効果（１Ａ）、（１Ｃ）を奏し、さらに、以下の効果を奏する。
【００２４】
（２Ａ）第２フィルタ２１が有する蛇腹形状を構成する折目２９は、上下方向に延びる。そのため、第２フィルタ２１は上下方向に変形し難い。そのことにより、第２フィルタ２１が自重によって下方に垂れてしまうことを抑制できる。その結果、第２フィルタ２１の上端と、天井部３Ｂとの間に隙間が生じることを抑制できる。
＜他の実施形態＞
以上、本開示の実施形態について説明したが、本開示は上述の実施形態に限定されることなく、種々変形して実施することができる。
【００２５】
（１）フィルタユニット５は、エアコンユニット以外の装置に取り付けられるものであってもよい。
（２）第２フィルタ２１は、蛇腹形状を有さなくてもよい。
【００２６】
（３）フィルタユニット５は、第１フィルタ１９及び第２フィルタ２１に加えて、さらに別のフィルタを備えていてもよい。
（４）端板２５、２７は、不織布以外の布から成っていてもよい。
【００２７】
（５）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【００２８】
（６）上述したフィルタユニットの他、当該フィルタユニットを構成要素とするシステム、フィルタユニットの製造方法等、種々の形態で本開示を実現することもできる。
【符号の説明】
【００２９】
１…エアコンユニット、３…ケース、３Ａ…底部、３Ｂ…天井部、３Ｃ…側面、５…フィルタユニット、７…ブロア、９…入口、１１…出口、１３…下側ガイド部、１５…上側ガイド部、１７…フィルタ挿入口、１９…第１フィルタ、２１…第２フィルタ、２１Ａ…下端、２３…濾材部、２３Ａ…端部、２５、２７…端板、２９…折目 
【図１】
2019166868.tif 000003
【図２】
2019166868.tif 000004
【図３】
2019166868.tif 000005
【図４】
2019166868.tif 000006
【図５】
2019166868.tif 000007